(57)【要約】  油及び／又はデンプン汚れに対する低温での洗浄力を向上させる、ジアルキルスルホスクシネート類及びアミンオキシド類を含有している液体洗剤組成物。【特許請求の範囲】
【請求項１】
界面活性剤システムを備えた液体洗剤組成物であって、
ａ）Ｃ6〜Ｃ14直鎖又は分枝鎖ジアルキルスルホスクシネートを前記組成物の約０．５重量％〜約１０重量％、好ましくは約１重量％〜約５重量％、
ｂ）Ｃ8〜Ｃ18直鎖アミンオキシドを前記組成物の約０．１重量％〜１５重量％、及び
ｃ）Ｃ10〜Ｃ14アルキル又はヒドロキシアルキルのスルフェート又はスルホネート類を前記組成物の約２０重量％〜約４０重量％、
を含んでいる液体洗剤組成物。
【請求項２】
前記ジアルキルスルホスクシネートが、２．０〜６．０のＣｌｏｇＰ値を有するＣ8〜Ｃ13直鎖又は分枝鎖ジアルキルスルホスクシネート、好ましくは３．０〜５．５のＣｌｏｇＰ値を有するＣ1〜Ｃ3アルキル中鎖分枝を含む前記直鎖又は分枝鎖ジアルキルスルホスクシネートから選択される、請求項１に記載の液体洗剤組成物。
【請求項３】
前記アミンオキシドが、Ｃ10〜Ｃ12直鎖アミンオキシド又はＣ12〜Ｃ14直鎖アミンオキシドから選択される、請求項１に記載の液体洗剤組成物。
【請求項４】
前記直鎖アミンオキシドを前記組成物の約５重量％〜約１０重量％で含む、請求項１に記載の液体洗剤組成物。
【請求項５】
前記直鎖アミンオキシドを前記組成物の約３重量％〜約８重量％で含む、請求項１に記載の液体洗剤組成物。
【請求項６】
水性液体キャリアを、前記液体洗剤組成物の３０重量％〜８０重量％でさらに含む、請求項１に記載の液体洗剤組成物。
【請求項７】
エチレンオキシド１〜２５モルを備えたＣ8〜Ｃ22脂肪族アルコール類、アルキルポリグリコシド類、脂肪酸アミド界面活性剤類、及びこれらの混合物の群から、好ましく選択される非イオン性界面活性剤を前記液体洗剤組成物の約０．１重量％〜約２０重量％をさらに含む、請求項１に記載の液体洗剤組成物。
【請求項８】
溶媒を前記液体洗剤組成物の０．０１重量％〜２０重量％、及びヒドロトロープを前記液体洗剤組成物の０重量％〜約１５重量％さらに含む、請求項６に記載の液体洗剤組成物。
【請求項９】
０．０１ｍＬ〜１５０ｍＬの前記液体洗剤組成物を２０００ｍＬ〜２００００ｍＬの水に希釈し、このようにして得られた希釈した組成物中に食器類を浸け、布、スポンジ、又は類似の物品を汚れた食器表面に接触させることにより洗浄する、請求項１に記載の液体洗剤組成物を用いて食器類を洗浄する方法。
【請求項１０】
水浴中に食器類を浸け、請求項１に記載の液体洗剤組成物の有効量を所定の装置上に吸収させ、前記液体洗剤組成物を吸収させた前記装置を汚れた各食器類の表面に個々に接触させる、食器類を洗浄する方法。
【発明の詳細な説明】
【技術分野】
【０００１】
本発明は、ジアルキルスルホスクシネート類、アミンオキシド類、及びＣ10〜Ｃ14アルキル又はヒドロキシアルキルのスルフェート又はスルホネート界面活性剤類を含有している液体洗剤組成物に関するもので、油及び／又はデンプン汚れの低温での洗浄力を向上させる。
【背景技術】
【０００２】
液体洗剤で油を洗浄すると、消費者が直面し続けている問題が発生する。消費者が軽質液体食器用洗剤組成物の液体洗剤を利用する場合は、グラスや平皿などの比較的洗いやすいものを洗った後、油っぽく洗いにくいものを最後に洗う傾向がある。大半の消費者は、洗いはじめは約４０°Ｃ〜約４５°Ｃの湯を使う。しかし洗い物の最後に習慣として油っぽく洗いにくいものを洗う時には、湯温は約３０°Ｃ〜約３５°Ｃに下がる。このような比較的に低い温度（すなわち３０℃〜３５℃）では、高温（４０℃〜４５℃）時よりも、油汚れ、とりわけ牛脂、鶏脂などに含まれる固形脂肪の割合が高くなる。そしてこのことが、脂肪汚れの粘度が向上して洗い物の表面に強く吸着する原因となる。
【０００３】
消費者は、洗い物の最後に油っぽい表面を洗う習慣を変えなくても、この高粘度の脂肪汚れを除去したいと考えている。
【０００４】
さらに、軽質液体食器用洗剤組成物の液体洗剤を消費者が利用する時は、米、パスタ、じゃがいも及びその他のデンプン類など、洗いにくいデンプン汚れに直面することが多い。デンプン洗浄の一般的な解決策は、軽質液体食器用洗剤に、酵素、漂白剤、溶媒、研磨剤などを混合したり、ｐＨを高くしたりすることである。しかし、これらの解決策では、消費者が満足するデンプン洗浄力を実現させることはできない。
【発明の開示】
【発明が解決しようとする課題】
【０００５】
軽質液体食器用洗剤組成物では、油及びデンプン洗浄を行う間、高い起泡プロファイルが要求される。驚くべきことに、本発明は、液体食器用洗剤組成物の油汚れ及び／又はデンプン汚れに対する総体的なプロファイルを十分なレベルに維持すると同時に、低温での前記汚れに対する洗浄力も向上させることが分かっている。
【課題を解決するための手段】
【０００６】
本発明は、Ｃ6〜Ｃ14直鎖又は分枝鎖ジアルキルスルホスクシネート組成物を全体の約０．５重量％〜約８重量％、ｂ）Ｃ8〜Ｃ18直鎖アミンオキシドを約０．１重量％〜約１５重量％、及びｃ）Ｃ10〜Ｃ14アルキル又はヒドロキシアルキルのスルフェート又はスルホネート類を約２０重量％〜約４０重量％含有している界面活性剤システムを備えた液体洗剤組成物に関するものである。
【０００７】
本発明はさらに、Ｃ6〜Ｃ14直鎖又は分枝鎖ジアルキルスルホスクシネート、Ｃ8〜Ｃ18直鎖アミンオキシド及びＣ10〜14アルキル又はヒドロキシアルキルのスルフェート又はスルホネートを含有している液体洗剤組成物を用いて食器類を洗浄する方法であって、０．０１ｍＬ〜１５０ｍＬの前記液体洗剤組成物を２０００ｍＬ〜２００００ｍＬの水に希釈し、このようにして得られた希釈した組成物中に食器類を浸け、布、スポンジ、又は類似の物品を汚れた食器表面に接触させることにより洗浄する方法に関するものである。
【０００８】
本発明はさらに、食器類を洗浄する方法のうち、水浴中に食器類を浸け、Ｃ6〜Ｃ14直鎖又は分枝鎖ジアルキルスルホスクシネート、Ｃ8〜Ｃ18直鎖アミンオキシド及びＣ10〜14アルキル又はヒドロキシアルキルのスルフェート又はスルホネートを含有している液体洗剤組成物の有効量を所定の装置上に吸収させ、前記液体洗剤組成物を吸収させた前記装置を汚れた各食器類の表面に個々に接触させる方法に関する。
【０００９】
引用するすべての文献は、関連部分において本明細書に参考として組み込むが、いかなる文献の引用も、それが本発明に関する従来の技術であることの容認として解釈すべきでない。
【発明を実施するための最良の形態】
【００１０】
本発明の液体洗剤組成物は、液体食器用洗剤組成物の油汚れ及び／又はデンプン汚れに対する総体的な洗浄力及び起泡プロファイルの許容可能な程度を維持する一方で、驚くべきことに、低温におけるそのような汚れの洗浄の改善を与える。
【００１１】
本明細書で使用する時、「油」とは、少なくとも一部（すなわち、油の０．５重量％以上）に飽和及び不飽和の脂肪及び油、好ましくは牛肉及び／又は鶏肉などの動物性原料に由来する油分及び脂肪を含有している物質を意味する。
【００１２】
本明細書で使用する時、「デンプン」とは、少なくとも一部（すなわち、デンプンの０．５重量％以上）にアミロース又はアミロペクチンを含有している物質を意味する。
【００１３】
本明細書で使用する時、「起泡プロファイル」とは、本発明の液体洗剤組成物を使用することによってもたらされる、洗浄過程全体における泡立ちの良さ及び泡立ちの持続性を意味する。消費者は泡立ちの良さを前記液体洗剤組成物の性能の指標として用いるため、起泡プロファイルは特に重要である。さらに消費者は、洗浄液にまだ有効な洗剤成分が含まれていることの指標として起泡プロファイルを用いる。通常消費者は、泡立ちがなくなった場合に洗浄液を新しくする。そのため、泡立ちの悪い配合物は、泡立ちが悪いために、消費者が必要以上に頻繁に取り替える傾向がある。
【００１４】
本明細書で使用する時、「堆積物」とは、表面に付着している油又はデンプンを意味し、食器類、グラス、ポット、平鍋、パン焼き皿、平皿又は布地などの表面に付着している油又はデンプンの面積又は容積に限定されない。
【００１５】
本明細書で使用する時、「軽質液体食器用洗剤組成物」は、手動で（すなわち手で）食器を洗う際に用いる組成物に関するものである。前記組成物は一般的には、実質的に高い起泡性又は発泡性を備えている。
【００１６】
本明細書で「Ｘ〜Ｙ」又は「約Ｘ〜約Ｙ」の形式で記載する時、数の範囲がすべて、本明細書に明確に記載されている場合と同様に本明細書に組み込むとともに包含させる。当然のことながら、本明細書全体にわたって提示するあらゆる制限には、場合によっては、更に低い又は更に高い限界が本明細書に明確に記載されている場合と同様に、更に低い又は高い制限が含まれる。本明細書全体にわたって提示されるあらゆる範囲には、その広い範囲内のさらに狭い範囲がすべて、そのさらに狭い範囲がすべて本明細書に明確に記載されている場合と同様に包まれる。
【００１７】
指示がない限り、重量百分率は前記液体洗剤組成物の重量百分率に関するものである。指示がない限り、温度はすべて摂氏（℃）で表記する。
【００１８】
ジアルキルスルホスクシネート
本発明の液体洗剤組成物に使用する構成成分は、ジアルキルスルホスクシネート類である。前記ジアルキルスルホスクシネート類は、Ｃ6〜15直鎖又は分枝鎖ジアルキルスルホスクシネートにしてよい。前記アルキル部分は、対称型（すなわち、同じアルキル部分）又は非対称型（すなわち、異なるアルキル部分）とすることができる。好ましくは、前記アルキル部分は対称型である。本発明では、当該技術分野において既知のモノアルキルスルホスクシネート類は利用しない。理論に束縛されるものではないが、ジアルキルスルホスクシネート類を使用することにより、疎水性及び湿潤性が向上し、油及び／又はデンプン汚れに対する洗浄力が高まる。ジアルキルスルホスクシネート類のＣｌｏｇＰ値は２．０超である。ＣｌｏｇＰ値は、本発明におけるジアルキルスルホスクシネート類のような好適なスルホスクシネート類の識別に用いることができる。好ましいＣｌｏｇＰ値は２．０〜６．０であり、より好ましくは３．０〜５．５である。これに対し、モノアルキルスルホスクシネート類のＣｌｏｇＰ値は約１．０である。
【００１９】
ＣｌｏｇＰ値は、物質のオクタノール／水分配係数に関するものである。具体的には、オクタノール／水分配係数（Ｐ）は、平衡状態でのオクタノール中及び水中での特定ポリマーの濃度の割合の尺度である。分配係数は、１０を底とする対数（即ち、ｌｏｇＰ）として記録する。多くの物質のｌｏｇＰ値が報告されており、デイライトケミカルインフォメーションシステム社（Daylight Chemical Information Systems, Inc.）のＰｏｍｏｎａ９２データベースなど、様々な方法で計算してよい。また、ＣｌｏｇＰ値（又はＬｏｇＫｏｗ）の計算に使用可能なＷｉｎｄｏｗｓ用推定プログラムインターフェース（Estimation Programs Interface）（ＥＰＩ−Ｗｉｎ）を米国環境保護局から入手できる。ポリマー構造に基づくＣｌｏｇＰ値又はＬｏｇＫｏｗ計算用の好ましい計算ツールは、ＥＰＩ−Ｗｉｎモデルである。
【００２０】
ある実施形態においては、ジアルキルスルホスクシネートは好ましくは分枝状であり、より好ましくはアルキル部分の中央部にＣ1〜Ｃ3アルキル側鎖を備えたものであり、最も好ましくは第二アルコール源としてジブチルヘキサノール及びジオクチルヘキサノールなどのアルコール源から得られるものである。このアルキル部分への側鎖配置は「中鎖」分枝と呼んでもよい。
【００２１】
好ましいジアルキル部分は、Ｃ6〜13直鎖又は分枝鎖ジアルキルスルホスクシネート類から選択する。非限定的な実施例としては、直鎖ジヘキシルスルホスクシネート、分枝状ジオクチルスルホスクシネート及び直鎖ビス（トリデシル）スルホスクシネートが挙げられる。
【００２２】
液体洗剤組成物にジアルキルスルホスクシネート類を約０．５重量％〜約１０重量％含有させてよい。ある実施形態においては、液体洗剤組成物にジアルキルスルホスクシネート類が好ましくは組成物の約２重量％〜約５重量％含まれている。別の実施形態においては、液体洗剤組成物にジアルキルスルホスクシネート類が好ましくは約１重量％〜約１０重量％含まれている。
【００２３】
アミンオキシド界面活性剤
本発明の液体洗剤組成物で使用する構成成分は直鎖アミンオキシド類である。本明細書に用いるアミンオキシド類としては、１つのＣ8〜18アルキル部分及び２つのＣ1〜3アルキル基及びＣ1〜3ヒドロキシアルキル基から成る群から選択される部分を含む水溶性アミンオキシド類、１つのＣ10〜18アルキル部分及び２つのＣ1〜3アルキル基及びＣ1〜3ヒドロキシアルキル基から成る群から選択される部分を含む水溶性ホスフィンオキシド類、及び１つのＣ10〜18アルキル部分及び、Ｃ1〜3アルキル及びＣ1〜3ヒドロキシアルキル部分から成る群から選択される部分を含む水溶性スルホキシド類が挙げられる。
【００２４】
好ましいアミンオキシド界面活性剤類は式（Ｉ）で表されるものである。
【００２５】
【化１】
2008507611.tif 000002
式中、Ｒ3は、Ｃ8〜22アルキル、Ｃ8〜22ヒドロキシアルキル、Ｃ8〜22アルキルフェニル基、及びこれらの混合物であり、Ｒ4は、Ｃ2〜3アルキレンもしくはＣ2〜3ヒドロキシアルキレン基又はこれらの混合物であり、ｘは０〜約３であり、式（Ｉ）のＲ5はそれぞれ、Ｃ1〜3アルキルもしくはＣ1〜3ヒドロキシアルキル基、又は平均約１個〜約３個のエチレンオキシド基を含むポリエチレンオキシド基である。式（Ｉ）のＲ5基は、例えば酸素又は窒素原子を介して互いに結合させて、環状構造を形成させてもよい。
【００２６】
これらのアミンオキシド界面活性剤類としては、特に、Ｃ10〜Ｃ18アルキルジメチルアミンオキシド、及びＣ8〜Ｃ12アルコキシエチルジヒドロキシエチルアミンオキシドが挙げられる。好ましいアミンオキシド類としては、Ｃ10、Ｃ10〜Ｃ12、及びＣ12〜Ｃ14アルキルジメチルアミンオキシド類が挙げられる。
【００２７】
液体洗剤組成物には、少なくとも１つのアミンオキシドが約０．１重量％〜約１５重量％、より好ましくは約０．２重量％〜約１２重量％含有させる。ある実施形態においては、液体洗剤組成物中にはアミンオキシドが組成物の約５重量％〜約１２重量％含まれている。別の実施形態においては、液体洗剤組成物中にアミンオキシドが組成物の約３重量％〜約８重量％含まれている。
【００２８】
Ｃ10〜14アルキル又はヒドロキシアルキルのスルフェート又はスルホネート
Ｃ10〜14アルキル又はヒドロキシアルキルのスルフェート又はスルホネート界面活性剤は、液体洗剤組成物の２０重量％以上、より好ましくは２０重量％〜４０重量％、最も好ましくは２５重量％〜４０重量％含有されている。
【００２９】
本明細書の組成物で使用するのに好適なＣ10〜14アルキル又はヒドロキシアルキルのスルフェート又はスルホネート界面活性剤類は、Ｃ10〜Ｃ14アルキル又はヒドロキシアルキルのスルフェート又はスルホネートの水溶性塩又は酸を含有している。好適な対イオンとしては、水素、アルカリ金属カチオン又はアンモニウム又は置換アンモニウムが挙げられるが、好ましくはナトリウムである。
【００３０】
ヒドロカルビル鎖が分枝状の場合、Ｃ1〜4アルキルの側鎖が含まれているのが好ましい。Ｃ10〜14アルキル又はヒドロキシアルキルのスルフェート又はスルホネート界面活性剤の平均側鎖率は、好ましくは総ヒドロカルビル鎖の３０％以上、より好ましくは３５％〜８０％、最も好ましくは４０％〜６０％である。
【００３１】
水性液体キャリア
本明細書の軽質食器用洗剤組成物は、更に約３０％〜８０％の水性液体キャリアを含有しており、前記キャリアにはその他の本質的及び任意の組成物構成成分を溶解、分散、又は懸濁する。より好ましくは、前記水性液体キャリアは、本明細書の組成物の約４５％〜約７０％、さらに好ましくは約４５％〜約６５％含まれる。
【００３２】
水性液体キャリアの１つの好ましい構成成分は水である。しかしながら、前記水性液体キャリアは、室温（２０℃〜２５℃）で液状であるか又は前記液体キャリアに溶解する他の物質であって、不活性な充填剤の機能に加えてある種の他の機能をも果たすことができる他の物質を含有させてもよい。前記物質としては、例えばヒドロトロープ類及び溶媒類が挙げられ、以下により詳細に記載する。本発明の液体洗剤組成物を使用する地域に応じて、前記水性液体キャリア中の水の硬度水準は、約０．０３４〜０．５１６ｇ／Ｌ（２〜３０ｇｐｇ）にすることができる（「ｇｐｇ」は、当業者には周知の水の硬度の測度であって、「グレイン・パー・ガロン（grains per gallon）」を表す）。
【００３３】
組成物のｐＨ
組成物のｐＨは好適であればいずれのレベルにしてもよい。好ましくは、組成物のｐＨは４〜１４の間に調整する。更に好ましくは、組成物のｐＨは６〜１３、より好ましくは６〜１０である。組成物のｐＨは、当該技術分野において既知のｐＨ調整成分を用いて調節できる。
【００３４】
組成物の濃度
本発明の組成物は高濃度にするのが好ましく、２０℃で測定した時の粘度は７００ｃｐｓ（０．７Ｐａｓ／ｓ）超である。より好ましくは、組成物の粘度は７００〜１１００ｃｐｓ（０．７〜１Ｐａ／ｓ）である。本発明では、マイクロエマルション形態の組成物を除外する。
【００３５】
界面活性剤−本発明の液体洗剤組成物には、上述したジアルキルスルホスクシネート、直鎖アミンオキシド類及びＣ10〜14アルキル又はヒドロキシアルキルのスルフェート又はスルホネート界面活性剤類以外の界面活性剤類をさらに含ませてもよく、前記界面活性剤類は、非イオン性、陰イオン性、陽イオン性界面活性剤類、両性、双性イオン性、半極性非イオン性界面活性剤類、及びこれらの混合物から選択する。任意の界面活性剤類は、存在する場合、本発明の液体洗剤組成物の約０．０１重量％〜約５０重量％、好ましくは前記液体洗剤組成物の約１重量％〜約５０重量％の量を含んでもよい。任意の界面活性剤類の非限定的な例を以下に述べる。
【００３６】
非イオン性界面活性剤
任意に応じて、非イオン性界面活性剤は、組成物中に含有させる場合、より好ましくは液体洗剤組成物の０．１重量％〜２０重量％、更により好ましくは０．１重量％〜１５重量％、更によりいっそう好ましくは０．５重量％〜１０重量％の有効な量を含有させる。
【００３７】
好適な非イオン性界面活性剤としては、脂肪族アルコール類と１〜２５モルのエチレンオキシドとの縮合生成物が挙げられる。脂肪族アルコールのアルキル鎖は直鎖状又は分枝状、一級又は二級のいずれであることもでき、一般的には８〜２２個の炭素原子を含有する。特に好ましいのは、１０〜２０個の炭素原子を含有しているアルキル基を有するアルコールとアルコールの１モルあたり２〜１８モルのエチレンオキシドとの縮合生成物である。さらに好適なアルキルポリグリコシド類は次の式、Ｒ2Ｏ（ＣnＨ2nＯ）t（グリコシル）x（式（ＩＩ））で表されるものである。式中、Ｒ2は、アルキル、アルキルフェニル、ヒドロキシアルキル、ヒドロキシアルキルフェニル、及びこれらの混合物からなる群から選択され（前記アルキル基は１０〜１８個、好ましくは１２〜１４個の炭素原子を含有している）、式（ＩＩ）のｎは２又は３、好ましくは２であり、式（ＩＩ）のｔは０〜１０、好ましくは０であり、式（ＩＩ）のｘは１．３〜１０、好ましくは１．３〜３、最も好ましくは１．３〜２．７である。グリコシルは好ましくはグルコースに由来する。これらの化合物を調製するためには、アルコール又はアルキルポリエチルアルコールを最初に形成し、その後グルコース又はグルコース源と反応させて、グルコシドを形成する（１位で付着）。これで、追加のグリコシル単位が、それらの１位と先行のグリコシル単位の２、３、４及び／又は６位、好ましくは主に２位との間で結合できる。
【００３８】
さらに好適な脂肪酸アミド界面活性剤類は、次の式（ＩＩＩ）で表される：
【００３９】
【化２】
2008507611.tif 000003
式中、式（ＩＩＩ）のＲ6は、７〜２１個、好ましくは９〜１７個の炭素原子を含有するアルキル基であり、式（ＩＩＩ）のＲ7は、水素、Ｃ1〜Ｃ4のアルキル、Ｃ1〜Ｃ4のヒドロキシアルキル、及び−（Ｃ2Ｈ4Ｏ）xＨからなる群から選択され、式（ＩＩＩ）のｘは、１〜３まで幅がある。好ましいアミド類は、Ｃ8〜Ｃ20のアンモニアアミド類、モノエタノールアミド類、ジエタノールアミド類、及びイソプロパノールアミド類である。
【００４０】
両性界面活性剤
本発明において任意であるその他の好適な両性洗剤界面活性剤の非限定例としては、アミドプロピルベタイン類及び脂肪族又は複素環式二級及び三級（ternary）アミン類の誘導体が挙げられ、脂肪族部分は直鎖又は分岐鎖であることができ、脂肪族置換基の一つは、８〜２４個の炭素を含有し、少なくとも一つの脂肪族置換基にはアニオン性水溶性基が含まれている。
【００４１】
典型的には、両性界面活性剤は、存在する場合、前記液体洗剤組成物の約０．０１重量％〜約２０重量％、好ましくは約０．５重量％〜約１０重量％含有させる。
【００４２】
マグネシウムイオン
任意に含有させるマグネシウムイオンは、わずかな二価イオンが含まれている軟水中で前記組成物を使用する場合に、洗剤組成物中で利用できる。利用する場合、マグネシウムイオンは、好ましくは水酸化物、塩化物、酢酸塩、スルフェート、蟻酸塩、酸化物塩又は硝酸塩として本発明の組成物に加える。
【００４３】
含有させる場合、液体洗剤組成物中のマグネシウムイオンは、０．０１重量％〜１．５重量％、好ましくは０．０１５重量％〜１重量％、より好ましくは０．０２５重量％〜０．５重量％の活性濃度で含有させる。
【００４４】
溶媒
本組成物には、任意に溶媒を含めてもよい。好適な溶媒としては、Ｃ4〜14のエーテル類及びジエーテル類、グリコール類又はアルコキシル化グリコール類、Ｃ6〜Ｃ16のグリコールエーテル類、アルコキシル化芳香族アルコール類、芳香族アルコール類、脂肪族分枝鎖アルコール類、アルコキシル化脂肪族分枝鎖アルコール類、アルコキシル化直鎖Ｃ1〜Ｃ5アルコール類、直鎖Ｃ1〜Ｃ5アルコール類、アミン類、Ｃ8〜Ｃ14アルキル及びシクロアルキル炭化水素類及びハロ炭化水素類、及びこれらの混合物が挙げられる。
【００４５】
好ましい溶媒は、メトキシオクタデカノール、エトキシエトキシエタノール、ベンジルアルコール、２−エチルブタノール及び／又は２−メチルブタノール、１−メチルプロポキシエタノール及び／又は２−メチルブトキシエタノール、メタノール、エタノール、プロパノール、イソプロパノール、ブチルジグリコールエーテル（ＢＤＧＥ）、ブチルトリグリコールエーテル、第三級アミルアルコール、グリセロールのような直鎖Ｃ1〜Ｃ5アルコール類、及びこれらの混合物から選択される。本明細書で使用できる特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びそれらの混合物である。
【００４６】
本明細書で用いるのに好適な他の溶媒としては、プロピレングリコール誘導体、例えばｎ−ブトキシプロパノール又はｎ−ブトキシプロポキシプロパノ−ル、水溶性カルビトールＲ（CARBITOL R）（登録商標）溶媒、又は水溶性セロソルブＲ（CELLOSOLVE R）（登録商標）溶媒が挙げられる。水溶性カルビトールＲ（CARBITOL R）（登録商標）溶媒は、２−（２−アルコキシエトキシ）エタノールの部類の化合物であり、アルコキシ基はエチル、プロピル、ブチルに由来し、好ましい水溶性カルビトール（CARBITOL）（登録商標）は、２−（２−ブトキシエトキシ）エタノールであり、ブチルカルビトール（BUTYL CARBITOL）（登録商標）としても知られている。水溶性のセロソルブＲ（CELLOSOLVE R）（登録商標）溶媒は２−アルコキシエトキシエタノールの部類の化合物であり、２−ブトキシエトキシエタノールが好ましい。他の好適な溶媒としては、ベンジルアルコール、並びに２−エチル−１，３−ヘキサンジオール、２，２，４−トリメチル−１，３−ペンタンジオールなどのジオール類、及びこれらの混合物が挙げられる。本明細書に用いるのにいくつかの好ましい溶媒は、ｎ−ブトキシプロポキシプロパノール、２−（２−ブトキシエトキシ）エタノール及びこれらの混合物である。
【００４７】
溶媒は、モノ−、ジ−、及びトリ−エチレングリコールのエーテル誘導体、ブチレングリコールエーテル類、並びにこれらの混合物を含む化合物群から選択することもできる。これらの溶媒の重量平均分子量は、好ましくは３５０未満、より好ましくは１００〜３００、更に一層好ましくは１１５〜２５０である。好ましい溶媒の例としては、例えば、モノエチレングリコールｎ−ヘキシルエーテル、モノプロピレングリコールｎ−ブチルエーテル、及びトリプロピレングリコールメチルエーテルが挙げられる。エチレングリコール及びプロピレングリコールエーテル類は市販されており、ダウケミカルカンパニー（Dow Chemical Company）から商標名ＤＯＷＡＮＯＬ（登録商標）が、アルコケミカルカンパニー（Arco Chemical Company）から商標名ＡＲＣＯＳＯＬＶ（登録商標）が入手可能である。モノ−及びジ−エチレングリコールｎ−ヘキシルエーテルを含む他の好ましい溶媒は、ユニオンカーバイド社から入手可能である。
【００４８】
含有させる場合、溶媒は液体洗剤組成物に、液体洗剤組成物の０．０１重量％〜２０重量％、好ましくは０．５重量％〜２０重量％、より好ましくは１重量％〜１０重量含有させる。
【００４９】
これらの溶媒は、例えば、水などの水性の液体担体と組み合わせて使用してもよく、又は含有させる水性の液体担体と組み合わせることなく使用してもよい。
【００５０】
ヒドロトロープ
本発明の液体洗剤組成物には、液体洗剤組成物が水に適切に相溶するように、任意に応じて有効量のヒドロトロープを含めてもよい。「適切に水に溶解する」とは、前記製品が、洗浄習慣と使用条件の双方に応じて迅速かつ十分に水に溶解することを意味する。水に素早く溶解しない製品は、全般的な油洗浄、起泡、食器類／グラス類などの表面からの製品のすすぎやすさ、又は洗浄後の表面上への製品残留性に関して、良好な性能を達成することができない。ヒドロトロープを含めることは、文献や先行技術でよく知られているように、製品の安定性及び配合性の改善にも有用である。
【００５１】
本明細書で使用するのに好適なヒドロトロープとしては、アニオン型のヒドロトロープ、特にキシレンスルホン酸ナトリウム塩、キシレンスルホン酸カリウム塩、及びキシレンスルホン酸アンモニウム塩、トルエンスルホン酸ナトリウム塩、トルエンスルホン酸カリウム塩及びトルエンスルホン酸アンモニウム塩、クメンスルホン酸ナトリウム塩、クメンスルホン酸カリウム塩（sodium potassium）及びクメンスルホン酸アンモニウム塩、及びこれらの混合物、並びに関連する化合物類（米国特許第３，９１５，９０３号に開示されているようなもの）が挙げられる。
【００５２】
本発明の液体洗剤組成物は、典型的に、ヒドロトロープ、又はその混合物を前記液体洗剤組成物の０重量％〜１５重量％、好ましくは１重量％〜１０重量％、最も好ましくは３重量％〜６重量％含む。
【００５３】
疎水性ブロックポリマー
本発明の液体洗剤組成物は、任意に、アルキレンオキシド部分及び５００以上、好ましくは１０，０００未満、より好ましくは１０００〜５０００、最も好ましくは１５００〜３０００の重量平均分子量を有する疎水性ブロックポリマーを含んでもよい。好適な疎水性ポリマーは、２５℃において、そのポリマーの約１重量％未満、好ましくは約０．５重量％未満、より好ましくは約０．１重量％未満の水溶解度を有している。
【００５４】
本明細書で使用する時、「ブロックポリマー類」とは、架橋して１個のポリマー構造を形成する２つ以上の異なるホモポリマー及び／又はモノマー単位を含むポリマー類を包含していることを意味する。好ましいコポリマー類は、モノマー単位の１つとしてエチレンオキシドを含む。より好ましいコポリマー類は、エチレンオキシド及びプロピレンオキシドとのコポリマーである。このような好ましいポリマー類のエチレンオキシド含有量は、約５重量％超、より好ましくは約８重量％超、かつ約５０重量％未満、より好ましくは約４０重量％未満である。好ましいポリマーは、エチレンオキシド／プロピレンオキシドコポリマーであり、ＢＡＳＦ社より、商標名プルロニックＬ８１（PLURONIC L81）（登録商標）又はプルロニックＬ４３（PLURONIC L43）（登録商標）が入手可能である。
【００５５】
本発明の液体洗剤組成物は、任意に、１つ以上の疎水性ブロックポリマーを前記液体洗剤組成物の０重量％〜１５重量％、好ましくは１重量％〜１０重量％、最も好ましくは３重量％〜６重量％含む。
【００５６】
増粘剤
本明細書における液体洗剤組成物には、増粘剤を前記液体洗剤組成物の約０．２重量％〜５重量％含有させることができる。より好ましくは、前記増粘剤の量は、本明細書の液体洗剤組成物の約０．５重量％〜２．５重量％である。増粘剤は、典型的に、セルロース誘導体の部類から選択される。好適な増粘剤としては、ヒドロキシエチルセルロース、ヒドロキシメチルセルロース、カルボキシメチルセルロース、陽イオン性疎水変性ヒドロキシエチルセルロース（アマコールコーポレーション（Amerchol Corporation）のＱＵＡＴＲＩＳＯＦＴ（登録商標）ＬＭ２００）などが挙げられる。好ましい増粘剤は、ヒドロキシプロピルメチルセルロースである。
【００５７】
高分子泡安定剤
本発明の組成物には、任意に高分子泡安定剤を含んでもよい。これらの高分子泡安定剤は、液体洗剤組成物の起泡量や起泡持続時間を増大させる。これらの高分子泡安定剤類は、（Ｎ，Ｎ−ジアルキルアミノ）アルキルエステルのホモポリマー及び（Ｎ，Ｎ−ジアルキルアミノ）アルキルアクリレートエステルのホモポリマーから選択してよい。前記高分子泡促進剤類の重量平均分子量は、常套のゲル浸透クロマトグラフィーで求められ、１，０００〜２，０００，０００、好ましくは５，０００〜１，０００，０００、より好ましくは１０，０００〜７５０，０００、さらに好ましくは２０，０００〜５００，０００、更になお好ましくは３５，０００〜２００，０００である。高分子泡安定剤は、所望により、無機塩又は有機塩のどちらかの塩の形態で含有させることができ、例えば、（Ｎ，Ｎ−ジメチルアミノ）アルキルアクリレートエステルのクエン酸塩、スルフェート、又は硝酸塩の形態で含有させることができる。
【００５８】
好ましい高分子泡安定剤の一つは、（Ｎ，Ｎ−ジメチルアミノ）アルキルアクリレートエステル類、すなわち以下の式（ＩＶ）で表されるアクリレートエステルである：
【００５９】
【化３】
2008507611.tif 000004
【００６０】
前記組成物中に含有させる場合、高分子泡促進剤は、前記組成物中に０．０１重量％〜１５重量％、好ましくは０．０５重量％〜１０重量％、より好ましくは０．１重量％〜５重量％の量を含有させる。
【００６１】
ジアミン
本発明による組成物の別の任意の成分はジアミンである。液体洗剤組成物のユーザーの習慣及び実態はばらつきが激しいので、組成物には、好ましくは少なくとも１種のジアミンを前記組成物の０重量％〜１５重量％、好ましくは０．１重量％〜１５重量％、０．２重量％〜１０重量％、より好ましくは０．２５重量％〜６重量％、より好ましくは０．５重量％〜１．５重量％含有させるのが好ましい。
【００６２】
好ましい有機ジアミン類は、ｐＫ１及びｐＫ２が８．０〜１１．５の範囲、好ましくは８．４〜１１の範囲、さらにより好ましくは８．６〜１０．７５にあるものである。好ましい物質としては、１，３−ビス（メチルアミン）−シクロヘキサン（ｐＫａ＝１０〜１０．５）、１，３−プロパンジアミン（ｐＫ１＝１０．５、ｐＫ２＝８．８）、１，６−ヘキサンジアミン（ｐＫ１＝１１、ｐＫ２＝１０）、１，３−ペンタンジアミン（Ｄｙｔｅｋ  ＥＰ（登録商標））（ｐＫ１＝１０．５、ｐＫ２＝８．９）、２−メチル−１，５−ペンタンジアミン（Ｄｙｔｅｋ  Ａ（登録商標））（ｐＫ１＝１１．２、ｐＫ２＝１０．０）が挙げられる。その他の好ましい物質としては、Ｃ4〜Ｃ8のアルキレンスペーサーを持つ一級／一級ジアミン類が挙げられる。一般に、一級ジアミン類は、二級及び三級ジアミン類より好ましいと考えられている。
【００６３】
ｐＫ１及びｐＫ２の定義−本明細書で使用する時、「ｐＫａ１」及び「ｐＫａ２」は、当業者には「ｐＫａ」という総称で知られている種類の量であり、本明細書ではｐＫａは、化学技術分野において一般に既知のものと同様の意味で使用する。本明細書で参照する値は、スミス（Smith）及びマーテル（Martel）著、「Ｃｒｉｔｉｃａｌ  Ｓｔａｂｉｌｉｔｙ  Ｃｏｎｓｔａｎｔｓ：第2版、アミン」（プレナム（Plenum）出版、ニューヨーク及びロンドン、１９７５年）などの文献から入手できる。ｐＫａに関する追加的な情報は、ジアミン類の供給元であるデュポン（DUPONT）（登録商標）により供給される情報のように、関連する会社の文献から得ることができる。本明細書で実用的な定義として、ジアミンのｐＫａは、２５℃で全水溶液において、イオン強度０．１〜０．５Ｍについて規定する。
【００６４】
カルボン酸
本発明による液体洗剤組成物には、組成物のリンス感触を向上させるために、直鎖又は環式カルボン酸又はその塩を含めてもよい。アニオン性界面活性剤が含まれていると、特に組成物の１５〜３５重量％の範囲で多量に含まれていると、ユーザーの手及び食器類にツルツルした感触を与える組成物になる。このツルツルした感触は、本明細書で定義するカルボン酸を用いると減少し、即ちさらりとしたリンス感触が得られる。
【００６５】
本明細書中で有用なカルボン酸としては、Ｃ1〜6の直鎖又は少なくとも３個の炭素を含有する環状酸類が挙げられる。カルボン酸又はその塩の直鎖又は環状炭素含有鎖は、ヒドロキシル、エステル、エーテル、１〜６個、より好ましくは１〜４個の炭素を有する脂肪族基、及びそれらの混合物からなる群から選択される置換基で置換してもよい。
【００６６】
好ましいカルボン酸は、サリチル酸、マレイン酸、アセチルサリチル酸、３−メチルサリチル酸、４−ヒドロキシイソフタル酸、ジヒドロキシフマル酸、１，２，４−ベンゼントリカルボン酸、ペンタン酸、及びこれらの塩、並びにそれらの混合物からなる群から選択される。カルボン酸が塩の形態で含まれている場合、塩のカチオンは、好ましくはアルカリ金属、アルカリ土類金属、モノエタノールアミン、ジエタノールアミン、又はトリエタノールアミン、及びそれらの混合物から選択される。
【００６７】
カルボン酸又はその塩は、含有させる場合、好ましくは０．１％〜５％、より好ましくは０．２％〜１％、最も好ましくは０．２５％〜０．５％の濃度で含有させる。
【００６８】
ビルダー
本発明の組成物にはさらにビルダー系を含んでもよい。ビルダーを使用するのが望ましい場合には、アルミノシリケート物質、シリケート類、ポリカルボキシレート類及び脂肪酸類、エチレン−ジアミン四酢酸等の物質、アミノポリホスホネート類、とりわけエチレンジアミンテトラメチレンホスホン酸及びジエチレントリアミンペンタメチレン−ホスホン酸等の金属イオン封鎖剤を包含する従来のいずれかのビルダー系が本明細書で用いるのに好適である。明らかな環境的理由から好ましくはないが、ホスフェートビルダー類も本明細書において使用できる。
【００６９】
本明細書に使用するのに好適なポリカルボキシレートビルダーとしては、クエン酸、好ましくは水溶性塩の形態でのクエン酸、
Ｒ−ＣＨ（ＣＯＯＨ）ＣＨ2（ＣＯＯＨ）（式Ｖ）で表されるコハク酸誘導体が挙げられ、式中、式（Ｖ）のＲはＣ10〜20のアルキル又はアルケニルであり、好ましくはＣ12〜16であり、式（Ｖ）のＲは、ヒドロキシル基、スルホスルホキシル基、又はスルホン基で置換できる。具体例としては、ラウリルサクシネート、ミリスチルサクシネート、パルミチルサクシネート、２−ドデセニルサクシネート、２−テトラデセニルサクシネート等が挙げられる。サクシネートビルダー類は、好ましくはナトリウム、カリウム、アンモニウム、及びアルカノールアンモニウム塩類を含むこれらの水溶性塩の形態で使用する。
【００７０】
その他の好適なポリカルボキシレート類は、オキソジサクシネート類、及び米国特許第４，６６３，０７１号に記載されているようなタルトラートモノコハク酸とタルトラートジコハク酸の混合物である。
【００７１】
本明細書に用いるのに好適な脂肪酸ビルダーは、飽和又は不飽和Ｃ10〜18の脂肪酸並びに対応する石鹸である。好ましい飽和種はアルキル鎖に１２〜１６個の炭素を有する。好ましい不飽和脂肪酸はオレイン酸である。液体組成物のためのその他の好ましいビルダー系は、ドデセニルコハク酸及びクエン酸を基剤にしている。
【００７２】
洗浄性ビルダー塩を含有させる場合、それらは液体洗剤組成物の０．５重量％〜５０重量％、好ましくは０．５重量％〜２５重量％、より好ましくは０．５重量％〜５重量％の量を含有させてよい。
【００７３】
酵素
本発明の洗剤組成物には、洗浄性能上の利点を提供する１つ以上の酵素を更に任意に含んでもよい。前記酵素としては、セルラーゼ、ヘミセルラーゼ、ペルオキシダーゼ、プロテアーゼ、グルコ−アミラーゼ、アミラーゼ、リパーゼ、クチナーゼ、ペクチナーゼ、キシラナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ又はこれらの混合物から選択される酵素が挙げられる。
【００７４】
好ましい組み合わせは、プロテアーゼ、アミラーゼ、リパーゼ、クチナーゼ及び／又はセルラーゼのような従来の適用可能な酵素の反応混液を有する洗剤組成物である。酵素を本組成物に含有させる場合、洗剤組成物の０．０００１重量％〜５重量％の活性酵素として含有させる。したがって、好ましいタンパク質分解酵素は、サビナーゼ（SAVINASE）（登録商標）、ＭＡＸＡＴＡＳＥ（登録商標）、ＭＡＸＡＣＡＬ（登録商標）、ＭＡＸＡＰＥＭ  １５（登録商標）、サブチリシン  ＢＰＮ及びＢＰＮ、プロテアーゼＢ（Protease B）、プロテアーゼＡ（Protease A）、プロテアーゼＤ（Protease D）（ジェネンコア）、ＰＲＩＭＡＳＥ（登録商標）、ＤＵＲＡＺＹＭ（登録商標）、ＯＰＴＩＣＬＥＡＮ（登録商標）、及びＯＰＴＩＭＡＳＥ（登録商標）、及びＡＬＣＡＬＡＳＥ（登録商標）（ノボインタストリー社（Novo Industri A/S））、及びこれらの混合物から成る群から選択される。プロテアーゼＢ（Protease B）が、最も好ましい。好ましいアミラーゼ酵素としては、ＴＥＲＭＡＭＹＬ（登録商標）、ＤＵＲＡＭＹＬ（登録商標）、並びにＰＣＴ国際公開特許ＷＯ９４／１８３１４（ジェネンコアインターナショナル（Genencor International））及びＰＣＴ国際公開特許ＷＯ９４／０２５９７（ノボ（Novo））に記載されているアミラーゼ酵素が挙げられる。
【００７５】
キレート剤
本明細書の洗剤組成物には、任意に１つ以上の鉄及び／又はマンガンキレート化剤を含有させてもよい。このようなキレート剤は、アミノカルボキシレート類、アミノホスホネート類、多官能置換された芳香族キレート剤及びそれらの混合物からなる群から選択することができ、これらのすべては以下で定義する。
【００７６】
任意選択のキレート剤として有用なアミノカルボキシレート類としては、エチレンジアミンテトラアセテート類、Ｎ−ヒドロキシエチルエチレンジアミントリアセテート類、ニトリロ−トリ−アセテート類、エチレンジアミンテトラプロプリオネート類、トリエチレンテトラアミンヘキサアセテート類、ジエチレントリアミンペンタアセテート類、及びエタノールジグリシン類、これらのアルカリ金属塩、アンモニウム塩、及び置換アンモニウム塩、及びそれらの混合物が挙げられる。
【００７７】
洗剤組成物において少なくとも低濃度の総リンが許められる場合、アミノホスホネート類も本発明の組成物におけるキレート剤として用いるのに好適であり、ＤＥＱＵＥＳＴ（登録商標）の商標名で市販されているエチレンジアミンテトラキス（メチレンホスホネート類）が挙げられる。６個超の炭素原子を有するアルキル基又はアルケニル基を含有しないアミノホスホン酸が好ましい。多官能置換させた芳香族キレート剤類も、本明細書の液体洗剤組成物に有用であり、好ましくは酸性型である。米国特許第３，８１２，０４４号（コナー（Connor）ら、１９７４年５月２１日発行）を参照のこと。好ましい化合物としては、１，２−ジヒドロキシ−３，５−ジスルホベンゼンのようなジヒドロキシジスルホベンゼンが挙げられる。本明細書で使用するのに好ましい生分解性キレート剤は、エチレンジアミンジサクシネート（「ＥＤＤＳ」）であり、特に、米国特許第４，７０４，２３３号（ハートマン（Hartman）及びパーキンス（Perkins）、１９８７年１１月３日発行）に記載されている［Ｓ，Ｓ］異性体である。本発明における液体洗剤組成物には、キレート剤又は補助ビルダーとして、水溶性メチルグリシン二酢酸（ＭＧＤＡ）塩（又は酸の形態）を含有させてもよい。同様に、シトレート等のいわゆる「弱い」ビルダー類をキレート剤として用いることもできる。
【００７８】
キレート剤を利用する場合、キレート剤は、本明細書における液体洗剤組成物の０．０００１５重量％〜１５重量％の量を含んでもよい。更に好ましくは、キレート剤を利用する場合、キレート剤は、前記組成物の０．０００３重量％〜３．０重量％含む。
【００７９】
好ましくは、本明細書の液体洗剤組成物は、透明な液体組成物として調製する。「透明な」とは、安定的かつ透明であることを意味する。透明な組成物を得るために溶媒類及びヒドロトロープ類を使用することは、軽質液体食器洗浄用組成物の技術分野に精通しているものには周知である。本発明の好ましい液体洗剤組成物は透明な単層液体であるが、本発明には、米国特許第５，８６６，５２９号（エリリ（Erilli）ら）、及び米国特許第６，３８０，１５０号（トューサン（Toussaint）ら）に記載のビーズ類又は真珠様のもののように分散した層を含有する透明及び不透明な製品も、その製品が貯蔵中に物理的に安定的である（すなわち、分離しない）のであれば、含まれる。
【００８０】
本発明の液体洗剤組成物類は、前記液体洗剤組成物を供給するのに好適ないずれかのパッケージで包装してもよい。好ましくは、前記パッケージは、ガラス又はプラスチックから形成させた透明なパッケージである。
【００８１】
その他の任意構成成分
本明細書の液体洗剤組成物には、液体洗剤組成物に用いるのに好適な幾つかのその他の任意成分、例えば香料、染料、不透明化剤、及び本明細書の液体洗剤組成物のｐＨを一般に４〜１４、好ましくは６〜１３、最も好ましくは６〜１０にするようなｐＨ緩衝手段を更に含むことができる。液体洗剤組成物、とりわけ軽質液体洗剤組成物での使用に適した許容可能な任意成分の更なる記載は、米国特許第５，７９８，５０５号に見ることができる。
【００８２】
使用方法
本発明の方法形態では、汚れた食器類に、水で希釈した本発明の液体洗剤組成物の有効量、典型的には（処理される食器２５個につき）約０．５ｍＬ〜約２０ｍＬ、好ましくは約３ｍＬ〜約１０ｍＬを接触させる。使用する液体洗剤組成物の実際の量は、使用者の判断に基づくものであって、典型的には、前記組成物中の活性成分の濃度といった前記組成物の特定の製品配合、洗浄しようとする汚れた食器類の数、食器類の汚れの度合いなどのような複数の要因に左右される。また、具体的な製品配合は、本組成物製品の対象とする市場（すなわち、米国、ヨーロッパ、日本など）のような多数の要因に左右されることになる。好適な例は、以下の表Ｉ〜ＩＩＩに見ることができる。
【００８３】
一般には、本発明の液体洗剤組成物の約０．０１ｍＬ〜約１５０ｍＬ、好ましくは約３ｍＬ〜約４０ｍＬを、約２０００ｍＬ〜約２００００ｍＬ、より典型的には約５０００ｍＬ〜約１５０００ｍＬの水と、約１０００ｍＬ〜約２００００ｍＬ、より典型的には約５０００ｍＬ〜約１５０００ｍＬの範囲の容積を有するシンクの中で混合する。汚れた食器は、こうして得られる希釈組成物の入ったシンク内に浸して、シンク内で、食器の汚れた表面と、布、スポンジ、又は類似の物品と食器を接触させて食器を洗浄する。布、スポンジ、又は類似の物品は、食器表面と接触する前に洗剤組成物と水との混合物に浸してよく、通常、約１〜約１０秒間にわたって食器表面と接触させるが、実際の時間は、用途及びユーザーによって異なる。布、スポンジ、又は類似の物品と食器表面との接触は、好ましくは食器表面を擦るのと同時に起こる。
【００８４】
別の使用方法には、汚れた食器類を、いかなる液体食器用洗剤をも含まない水浴に浸けることが含まれる。スポンジのように、液体食器用洗剤を吸収する装置を、別の量の非希釈の液体食器洗浄用組成物中に直接、典型的には約１〜約５秒間入れる。次に、前記吸収装置及びひいては非希釈の液体食器洗浄用組成物を汚れた各食器類の表面の一つ一つに接触させて、汚れを除去する。吸収用具は通常、約１〜約１０秒間にわたって各食器表面と接触させるが、実際の適用時間は、食器の汚れの程度といった要因に左右されることになる。吸収器具と皿表面の接触は、擦ることと同時に達成させるのが好ましい。
【００８５】
試験方法
粘度試験方法
本発明の組成物の粘度は、ブルックフィールド（Brookfield）粘度計型番ＬＶＤＶＩＩ＋を用いて２０℃で測定する。これらの測定に使用するスピンドルは、異なる粘度の生成物を測定するために適切な速度を持つＳ３１である。例えば、１Ｐａ／ｓ（１０００ｃｐｓ）より大きい粘度の生成物を測定するためには、１．２６ｒａｄ／秒（１２ｒｐｍ）、０．５−１Ｐａ／ｓ（５００ｃｐｓ−１０００ｃｐｓ）の粘度を有する生成物を測定するためには、３．１４ｒａｄ／秒（３０ｒｐｍ）、０．５Ｐａ／ｓ（５００ｃｐｓ）未満の粘度を有する生成物を測定するためには、６．２８ｒａｄ／秒（６０ｒｐｍ）である。
【００８６】
【表１】
2008507611.tif 000005
１：平均０．６個のエトキシ基を含有するＣ12〜13アルキルエトキシスルホネート
２：非イオン性は９個のエトキシ基を含有するＣ11アルキルエトキシ化界面活性剤又は８個のエトキシ基を含有するＣ10アルキルエトキシ化界面活性剤のいずれでもよい。
３：ポリ（オキシエチレン−オキシプロピレン−オキシエチレン）ＡＢＡタイプの三元ブロックコポリマー（例：プルロニックＬ８１（PLURONIC L81）（登録商標）又はプルロニックＬ４３（PLURONIC L43）（登録商標））
４：１，３，ＢＡＣは、１，３−ビス（メチルアミン）−シクロヘキサンである。
５：（Ｎ，Ｎ−ジメチルアミノ）エチルメタクリレートホモポリマー
６：酵素は、セルラーゼ、ヘミセルラーゼ、ペルオキシダーゼ、プロテアーゼ、グルコ−アミラーゼ、アミラーゼ、リパーゼ、クチナーゼ、ペクチナーゼ、キシラナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ又はこれらの混合物から選択される。
【００８７】
【表２】
2008507611.tif 000006
１：平均０．６個のエトキシ基を含有するＣ12〜13アルキルエトキシ硫酸
２：８個のエトキシ基を含有するＣ10アルキルエトキシ化界面活性剤又は９個のエトキシ基を含有するＣ11アルキルエトキシ化界面活性剤
３：１，３，ＢＡＣは、１，３−ビス（メチルアミン）−シクロヘキサンである。
４：（Ｎ，Ｎ−ジメチルアミノ）エチルメタクリレートホモポリマー
【００８８】
【表３】
2008507611.tif 000007
１：平均０．６個のエトキシ基を含有するＣ12〜13アルキルエトキシ硫酸
２：これらの例は、ＬＩＡＬ（登録商標）、ＳＡＦＯＬ（登録商標）、ＬＵＴＥＮＳＯＬ（登録商標）、ＮＥＯＤＯＬ（登録商標）の商標名で、又は前記商標名のアルコール類由来の物質として入手可能であり、米国特許第６，００８，１８１号に記載されている。
３：（Ｎ，Ｎ−ジメチルアミノ）エチルメタクリレートホモポリマー
４：ポリ（オキシエチレン−オキシプロピレン−オキシエチレン）ＡＢＡタイプの三元ブロックコポリマー（例：プルロニックＬ８１（PLURONIC L81）（登録商標）又はプルロニックＬ４３（PLURONIC L43）（登録商標））
【００８９】
本発明の特定の実施形態について説明し記載したが、本発明の精神及び範囲から逸脱することなく他の様々な変更及び修正が可能であることが当業者には明白である。したがって、本発明の範囲内にある前記変更及び修正のすべてを、添付の特許請求の範囲で扱うものとする。
【国際調査報告】
2008507611.tif 000008
2008507611.tif 000009